(57)【特許請求の範囲】
【請求項１】
取り付け部を有する下ケースと、
前記下ケースの上に配設された支持部材と、
前記支持部材に配設され、該支持部材に揺動自在にされた複数の鍵から成る鍵盤と、
被取り付け部を有し、前記鍵盤の前方に配設された口棒部と、
前記支持部材に設けられ、前記口棒部を前記支持部材に取り付けるための口棒部取り付け部とを有し、
前記支持部材は、その前部の最下位置から上方に立ち上がった立ち上がり部を有し、
前記口棒部取り付け部は、前記立ち上がり部における前記最下位置より高い位置に設けられ、
前記支持部材の前記口棒部取り付け部と前記下ケースの前記取り付け部との間に、前記口棒部の前記被取り付け部が、前記口棒部取り付け部及び前記取り付け部に対して共締め状態で固定されていることを特徴とする鍵盤装置。
【請求項２】
支持部材と、
前記支持部材に配設され、該支持部材に揺動自在にされた複数の鍵から成る鍵盤と、
前記鍵盤の前方に配設された口棒部と、
前記支持部材に設けられ、前記口棒部を前記支持部材に取り付けるための口棒部取り付け部とを有し、
前記支持部材は、その前部の最下位置から傾斜面を形成して斜め前方上方に立ち上がった立ち上がり部を有し、
前記口棒部取り付け部は、前記立ち上がり部における前記最下位置より高い位置に設けられ、
前記口棒部の下方から前記傾斜面の下方までの領域に、前記支持部材が存在しない領域が生じていることを特徴とする鍵盤装置。
【請求項３】
前記口棒部の前記被取り付け部は、前記口棒部取り付け部の下部に対して取り付けられ、前記口棒部取り付け部の上部には、前記鍵のうち白鍵の押離鍵動作をガイドする鍵動作ガイド部が設けられたことを特徴とする請求項１記載の鍵盤装置。
【請求項４】
前記口棒部は、前記口棒部取り付け部の下部に対して取り付けられ、前記口棒部取り付け部の上部には、前記鍵のうち白鍵の押離鍵動作をガイドする鍵動作ガイド部が設けられたことを特徴とする請求項２記載の鍵盤装置。
【発明の詳細な説明】
【技術分野】
【０００１】
本発明は、鍵盤の前方に口棒部が配設される鍵盤装置に関する。
【背景技術】
【０００２】
従来、下記特許文献１に示されるように、鍵盤装置における口棒部は、例えば、左右の腕木及び棚板等に取り付けられる。口棒部は、ほぼ全鍵盤幅の長さを有し、鍵前端との間の小さく一定の隙間を全長に亘って確保することが求められるため、高い剛性が必要とされる。従って、下記特許文献１では、口棒部を金属板で構成し、その剛性を確保している。
【０００３】
一方、電子鍵盤楽器等の鍵盤装置においては、内装部品である鍵盤フレームとは別に、樹脂製の外装の下ケース及び／又は上ケースを有し、口棒部も、下ケースまたは上ケース（あるいは上下一体のケース）と一体に形成されるものがある。口棒部は、例えば、下ケースの底板部の前部から立ち上がって形成され、鍵の先端に近接して配設される。また、鍵盤フレームは、例えば、下ケースの底板部の前部に固定される。
【特許文献１】実公平４−４７７５０号公報
【発明の開示】
【発明が解決しようとする課題】
【０００４】
しかしながら、上記のような、口棒部が樹脂等で構成される鍵盤装置において、口棒部が、下ケースの底板部から立ち上がって形成される場合は、口棒部は、実質的な支持部である下ケースの底板部の前部から延設された形態となる。この場合、口棒部の支持位置（底板部の前部）から口棒部の上端までは距離が長い。そのため、口棒部の上端の主に前後方向の位置がばらつきやすく、高い精度を確保することが容易でないという問題があった。
【０００５】
しかも、樹脂製のケースはもともと剛性が高くないことから、口棒部の支持位置から口棒部の上端までの距離が長いことで、口棒部自体の剛性も低くなって、口棒部が曲がりやすく、鍵先端との隙間を口棒部の全長に亘って均一に維持することが容易でないという問題があった。例えば、設計の意に反して、鍵域の中央で、鍵盤と口棒部との間隔が開きすぎ、そこに異物が落ち込み、容易に取り出せない、というような不都合も生じる。
【０００６】
一方、口棒部にリブを設ける等によって、実質的に肉厚を厚くして剛性を高めることが考えられる。しかし、口棒部の近傍には、白鍵の鍵動作ガイドや押鍵ストッパ等の部品が配設されるため、そのようにすると、スペース的な制約が多くなってくる。
【０００７】
本発明は上記従来技術の問題を解決するためになされたものであり、その目的は、口棒部取り付け部の位置を高くして、肉厚を厚くすることなく口棒部の精度及び剛性を高めることができる鍵盤装置を提供することにある。
【課題を解決するための手段】
【０００８】
上記目的を達成するために本発明の請求項１の鍵盤装置は、取り付け部を有する下ケースと、前記下ケースの上に配設された支持部材（１０）と、前記支持部材に配設され、該支持部材に揺動自在にされた複数の鍵から成る鍵盤（ＫＢ）と、被取り付け部を有し、前記鍵盤の前方に配設された口棒部（６３）と、前記支持部材に設けられ、前記口棒部を前記支持部材に取り付けるための口棒部取り付け部（９１）とを有し、前記支持部材は、その前部の最下位置（９２）から上方に立ち上がった立ち上がり部（９６）を有し、前記口棒部取り付け部は、前記立ち上がり部における前記最下位置より高い位置に設けられ、前記支持部材の前記口棒部取り付け部と前記下ケースの前記取り付け部との間に、前記口棒部の前記被取り付け部が、前記口棒部取り付け部及び前記取り付け部に対して共締め状態で固定されていることを特徴とする。
上記目的を達成するために本発明の請求項２の鍵盤装置は、支持部材と、前記支持部材に配設され、該支持部材に揺動自在にされた複数の鍵から成る鍵盤と、前記鍵盤の前方に配設された口棒部と、前記支持部材に設けられ、前記口棒部を前記支持部材に取り付けるための口棒部取り付け部とを有し、前記支持部材は、その前部の最下位置から傾斜面を形成して斜め前方上方に立ち上がった立ち上がり部を有し、前記口棒部取り付け部は、前記立ち上がり部における前記最下位置より高い位置に設けられ、前記口棒部の下方から前記傾斜面の下方までの領域に、前記支持部材が存在しない領域が生じていることを特徴とする。
【００１２】
なお、上記括弧内の符号は例示である。
【発明の効果】
【００１３】
本発明の請求項１によれば、口棒部取り付け部の位置を高くして、肉厚を厚くすることなく口棒部の精度及び剛性を高めることができる。
本発明の請求項２によれば、口棒部取り付け部の位置を高くして、肉厚を厚くすることなく口棒部の精度及び剛性を高めることができる。また、傾斜した立ち上がり部による剛性確保により、口棒部取り付け部の剛性を高めることができる。
【００１６】
請求項３、４によれば、口棒部取り付け部が、口棒部を取り付ける機能と鍵動作ガイド部を設ける機能とを兼ねるので、構成が簡単で省スペースになる。
【発明を実施するための最良の形態】
【００１７】
以下、本発明の実施の形態を図面を参照して説明する。
【００１８】
図１は、本発明の一実施の形態に係る鍵盤装置の縦断面図である。この鍵盤装置１は、電子鍵盤楽器として構成される。以降、鍵盤装置１の奏者側（同図左方）を前方と呼称する。
【００１９】
図１に示すように、鍵盤装置１において、いずれも樹脂製の上ケース６０と下ケース７０とで構成される筐体内に、樹脂製の鍵フレーム１０が配設される。鍵フレーム１０には、複数の白鍵２０及び複数の黒鍵４０から成る鍵盤ＫＢが配設される。鍵盤ＫＢの共通基端部３０が鍵フレーム１０に固定的に保持され、白鍵２０、黒鍵４０の各々の自由端部が上下方向に回動（乃至揺動）自在にされている。
【００２０】
鍵フレーム１０には、白鍵２０、黒鍵４０の各々に対応して、質量体５０（５０Ｗ、５０Ｂ）が設けられる。各質量体５０Ｗ、５０Ｂは、鍵フレーム１０に形成された質量体支持リブ１３に設けられた回動軸１４を中心に上下方向に回動自在に支持される。質量体５０は、対応する鍵によって駆動されて、該鍵と連動して回動する。そして、回動することで、対応する鍵に対して適当な慣性力を付与し、アコースティックピアノのようなタッチ感触を実現している。
【００２１】
鍵フレーム１０の後部１０ｂにおいて、上側に上限ストッパ８３、下側に下限ストッパ８４が設けられる。質量体５０の後端部が下限ストッパ８４に当接することで、質量体５０及びそれに対応する鍵の非押鍵位置（初期位置）が規制される。一方、質量体５０の後端部が上限ストッパ８３に当接することで、質量体５０及びそれに対応する鍵の押鍵終了位置（回動終了位置）が規制される。
【００２２】
また、鍵フレーム１０に設けられた基板８０上に、押鍵スイッチ８１が、白鍵２０、黒鍵４０の各々に対応して設けられ、これらの押鍵スイッチ８１が、対応する鍵の押下操作を検出する。押鍵スイッチ８１による検出結果に基づき、不図示の楽音発生部により楽音が発生する。
【００２３】
図２は、鍵盤装置１の前部の拡大断面図である。図３（ａ）は、鍵フレーム１０の前部の断面図、同図（ｂ）は上ケース６０の前部の断面図、同図（ｃ）は下ケース７０の前部の断面図である。図４（ａ）は、下ケース７０の前部の部分平面図、同図（ｂ）は、鍵フレーム１０の前部の部分平面図、同図（ｃ）は、鍵フレーム１０の前部の部分正面図である。図５（ａ）は、白鍵２０の前端部の断面図、同図（ｂ）は、白鍵２０の前端部の裏面図である。
【００２４】
図１に示すように、鍵フレーム１０の前部１０ａから後部１０ｂにかけての下部には、第１〜第４取付部９１〜９４が設けられている。鍵フレーム１０は、第２、第３、第４取付部９２、９３、９４において、下ケース７０に対して、それぞれ複数のネジ７２、７３、７４で結合される。鍵フレーム１０はまた、前部に設けられたボスである第１取付部９１において、下ケース７０及び上ケース６０に対して、複数のネジ７１で共締めにより結合される（後述する）。さらに、下ケース７０と上ケース６０とが、各々の後部の適所において複数のネジで結合される（図示せず）。下ケース７０の下部には、電池収容等のための凹部１８が形成されている。
【００２５】
図２、図３（ｃ）、図４（ａ）に示すように、下ケース７０の前部の、上記第１取付部９１に対応する位置には、断面凸状に盛り上がった上部である水平な床敷部７５が形成され、床敷部７５の上部に座部７６が連接形成されている。座部７６は、適当な間隔を保って鍵並び方向（左右方向）に複数設けられる。また、座部７６の位置に対応して、座部７６及び床敷部７５を貫通する締結用穴７７が上下方向に穿設されている。
【００２６】
図１、図２、図３（ｂ）に示すように、上ケース６０の最前部は、断面凸状に上方に盛り上がった口棒部６３が形成されている。口棒部６３は、全鍵盤幅に亘って上ケース６０と一体に形成され、白鍵２０の前端部２０ａの直前に位置し、前端部２０ａと近接している。図２、図３（ｂ）に示すように、上ケース６０の前部の、上記第１取付部９１に対応する位置には、口棒部６３の後部６３ａの下端に連接して、水平な床敷部６１が形成され、床敷部６１の上部に座部６２が連接形成されている。座部６２は、下ケース７０の座部７６に対応する位置に形成され、各座部６２及び床敷部６１に、締結用穴７７に連通される締結用穴６４が上下方向に穿設されている（図３（ｂ）参照）。
【００２７】
図２、図３（ａ）、図４（ｂ）、（ｃ）に示すように、鍵フレーム１０の前部１０ａにおいて、基部９８から、下方に垂下リブ９９が延設される。基部９８及び垂下リブ９９は、鍵盤幅に亘って一体に形成される。鍵フレーム１０の上記第１取付部９１は、垂下リブ９９の直前において、基部９８の下面から下方に複数延設される（図４（ｃ）参照）。第１取付部９１は、上ケース６０の座部６２及び下ケース７０の座部７６に対応して設けられ、各第１取付部９１には、締結用穴６４、７７に対応するネジ穴９７が設けられる。また、図２、図３（ａ）、図４（ｂ）に示すように、鍵フレーム１０の上記第２取付部９２は、水平な底板部であり、前部１０ａにおける最下位置に設けられる。
【００２８】
図２、図３（ａ）、図４、（ｃ）に示すように、第２取付部９２の前端から垂下リブ９９の下端にかけて、複数の傾斜リブ９６が鍵フレーム１０と一体に形成されている。傾斜リブ９６は、鍵並び方向における第１取付部９１に近接した位置に形成され、第１取付部９１の剛性が高められている。傾斜リブ９６の前面は、前方下方を向く傾斜面９６ａとなっている。従って、傾斜リブ９６は、最下位置である第２取付部９２から傾斜面９６ａを形成して斜め前方に立ち上がり、この立ち上がった最上部近傍に第１取付部９１が位置する。すなわち、第１取付部９１は、第２取付部９２より高い位置に浮いたように配設されている。
【００２９】
図３、図４（ｂ）、（ｃ）に示すように、鍵フレーム１０の基部９８の上部に連接して、鍵並び方向に平行なリブ１１が、各白鍵２０に対応する位置に形成されている。さらに、基部９８の上部及びリブ１１の前面に連接して、押鍵動作の案内をするキーガイド部１２が一体に上下方向に延設形成されている。一方、図５（ａ）、（ｂ）に示すように、白鍵２０の前端部２０ａには、キーガイド部１２に係合する被キーガイド部３３が上下方向に延設形成され、両者の係合により、白鍵２０の前端部２０ａは、その左右方向の移動が規制されて、上下方向に適切に動作するようになっている。
【００３０】
鍵盤装置１の組み付けは次のようにしてなされる。まず、鍵フレーム１０に、すべての質量体５０と鍵盤ＫＢを配設し、その鍵フレーム１０を、第１〜第４取付部９１〜９４において、上ケース６０乃至下ケース７０に対してネジ７１〜７４で螺合締結する。特に、第１取付部９１については、図２、図３（ａ）〜（ｃ）に示すように、下ケース７０の座部７６の上に上ケース６０の対応する床敷部６１を当接させ、さらに、上ケース６０の各座部６２の上に鍵フレーム１０の対応する第１取付部９１を当接させる。そして、下方から、締結用穴７７、６４を介してネジ穴９７にネジ７１を螺合することで、鍵フレーム１０、上ケース６０及び下ケース７０が、それぞれの前部において共締め状態で固定される。
【００３１】
ところで、図２に示すように、第１取付部９１の下方から傾斜面９６ａの下方までの領域には、空きスペース９５が生じる。この空きスペース９５は、鍵盤楽器としての機能を実現するための各種機能部品を配設するための配設スペースとして利用することができる。各種機能部品には、例えば、各種基板類（インターフェイス基板、アフタセンサ基板、接近センサ基板、ヘッドフォン基板、オフセット調整ボリューム基板等）、各種センサ、アクチュエータ等が考えられる。
【００３２】
本実施の形態によれば、鍵フレーム１０において口棒部６３を支持する位置である第１取付部９１は、鍵フレーム１０の前部１０ａの最下位置である第２取付部９２から前方に立ち上がって第２取付部９２より高い位置に浮いた位置にある（図２、図３（ａ）参照）。これにより、従来の多くの鍵盤装置のように、口棒部が下ケースの底板部から立ち上がって形成される構成に比し、口棒部６３の支持位置である第１取付部９１から口棒部６３の上端までの距離が短くなる。従って、口棒部６３にリブを設ける等によって、実質的に肉厚を厚くするようなことをしなくても、十分な剛性が確保されると共に、口棒部６３の上端の主に前後方向の位置がばらつきにくくなる。そのため、口棒部６３が樹脂製でありながら、曲がり量が少なくて済むので、白鍵２０の先端との隙間を高い精度で口棒部６３の全長に亘って均一に維持することが容易となる。よって、肉厚を厚くすることなく口棒部６３の精度及び剛性を高めることができる。
【００３３】
また、キーガイド部１２は、基部９８の上部に設けられ、第１取付部９１より高い位置から上方に延びているので、鍵フレーム１０の最下位置に近い位置から上方に立ち上がって形成される構成に比し、キーガイド部１２の基部を鍵に近い位置に設けることができるだけでなく、キーガイド部１２を短く設計することができる。これにより、キーガイド部１２の鍵並び方向への変形も少なく、剛性も高くなることから、高い精度が確保容易となり、鍵操作性の向上に繋がる。
【００３４】
しかも、一般に、口棒部の近傍には、白鍵の鍵動作ガイドや押鍵ストッパ等の部品が配設されることが多いが、本実施の形態では、口棒部６３を補強する必要が小さいので、スペース的な制約が少なくなる点でも有利である。
【００３５】
また、傾斜リブ９６を設けたことで、鍵フレーム１０は、最下位置である第２取付部９２から傾斜面９６ａを形成して斜め前方に立ち上がっているので、第１取付部９１の剛性が高い。しかも、傾斜リブ９６は、第１取付部９１に近接しているので、第１取付部９１の剛性を一層高めることができる。
【００３６】
また、口棒部６３の支持位置（第１取付部９１）が、最下位置（第２取付部９２）より十分に高い結果、下ケース７０の最前部の奏者に対向する前面７０ａ（図２参照）の前後方向の位置を、口棒部６３の前面より後方に引っ込ませることが可能となった。これにより、奏者から見ると、前面７０ａが見にくい結果、主に口棒部６３が視認されるので、上下方向において薄い口棒部６３の厚みが鍵盤装置１自体の厚みであるかのように見え、見栄えがよい。
【００３７】
また、第１取付部９１を高い位置に配設した結果、第１取付部９１の下方から傾斜面９６ａの下方までの領域に、各種機能部品を配設するための空きスペース９５が生じるので、この空きスペース９５を利用して、機種に応じた所望の機能部品を配設することができ、設計の自由度が増すと共に、省スペースにもなる。
【００３８】
また、口棒部６３の被取付部である上ケース６０の床敷部６１乃至座部６２は、第１取付部９１の下部に対して固定されるが、第１取付部９１の上部には、キーガイド部１２が設けられる。これにより、第１取付部９１が、口棒部６３を取り付ける機能と鍵動作ガイド部を設ける機能とを兼ねるので、構成が簡単で省スペースにもなる。
【００３９】
なお、本実施の形態では、口棒部６３は、上ケース６０に一体に形成されるものであったが、これに限るものでなく、下ケース７０から延設形成されたものでもよいし、上ケースと下ケースとが一体となった一体型ケースから延設形成されたものであってもよい。あるいは、口棒部６３は、独立別体のものであってもよい。
【図面の簡単な説明】
【００４０】
【図１】本発明の一実施の形態に係る鍵盤装置の縦断面図である。
【図２】鍵盤装置の前部の拡大断面図である。
【図３】鍵フレームの前部の断面図（図（ａ））、上ケースの前部の断面図（図（ｂ））、及び下ケースの前部の断面図（図（ｃ））である。
【図４】下ケースの前部の部分平面図（図（ａ））、鍵フレームの前部の部分平面図（図（ｂ））、及び鍵フレームの前部の部分正面図（図（ｃ））である。
【図５】白鍵の前端部の断面図（図（ａ））、白鍵の前端部の裏面図（図（ｂ））である。
【符号の説明】
【００４１】
１  鍵盤装置、  １０  鍵フレーム（支持部材）、  １２  キーガイド部（鍵動作ガイド部）、  ２０  白鍵、  ４０  黒鍵、  ６３  口棒部、  ９１  第１取付部（口棒部取り付け部）、  ９２  第２取付部（最下位置）、  ９５  空きスペース（配設スペース）、  ９６  傾斜リブ（立ち上がり部）、  ９６ａ  傾斜面、  ＫＢ  鍵盤
【図１】
0004640700.tif 000002
【図２】
0004640700.tif 000003
【図３】
0004640700.tif 000004
【図４】
0004640700.tif 000005
【図５】
0004640700.tif 000006